(57)【特許請求の範囲】
【請求項１】
物体側より順に、正屈折力の第１レンズ群と、正屈折力の第２レンズ群と、負屈折力の第３レンズ群と、正屈折力の第４レンズ群と、負屈折力の第５レンズ群と、正屈折力の第６レンズ群と、負屈折力の第７レンズ群からなり、
広角端から望遠端へのズーミングに際し各レンズ群間隔が変化し、前記第３レンズ群を光軸と直交方向に移動させることにより、手振れ発生時の像面上の像ブレ補正を行い、前記第１レンズ群は物体側より順に、正屈折力の第１１レンズ群と、正屈折力の第１２レンズ群を有し、前記第１２レンズ群を物体側へ繰り出すことにより、無限遠から近距離への合焦を行い、以下の条件を満足することを特徴とする防振機能を有するズームレンズ。
（１）０．３０＜ｆ１２／ｆ１１＜０．６０
（２）０．２０＜｜ｆ３／ｆ１｜＜０．２３
（３）１．５０＜ｆ２／ｆ１２＜４．００
ただし、
ｆ１１：前記第１１レンズ群の焦点距離
ｆ１２：前記第１２レンズ群の焦点距離
ｆ１：前記第１レンズ群の焦点距離
ｆ２：前記第２レンズ群の焦点距離
ｆ３：前記第３レンズ群の焦点距離
【発明の詳細な説明】
【技術分野】
【０００１】
本発明は、一眼レフカメラ等に好適な望遠ズームレンズに関するものである。
【背景技術】
【０００２】
４倍程度の変倍比を有し、防振機能を有するズームレンズとして、以下に示す特許文献１、２、３が開示されている。
【先行技術文献】
【特許文献】
【０００３】
【特許文献１】特開平０８−０６２５４１号公報
【特許文献２】特開２０１０−２１７８３８号公報
【特許文献３】特開２０１１−１５８６３０号公報
【発明の概要】
【発明が解決しようとする課題】
【０００４】
従来、広角端で３０度以上の画角を持つ変倍比４倍程度のズームレンズは、高い光学性能とコンパクト化を両立することが課題であった。
【０００５】
特許文献１に開示された光学系は、正、負、正、負、正、負の６つのレンズ群を有し、強い負の屈折力を持つ第２群を光軸と垂直方向に移動させることで防振を行っている。しかし、第２群内に入射する軸上光線高が高く、径方向に関して十分な小型化が為されているとは言えない。
【０００６】
特許文献２に開示された光学系は、正、負、正、正の４つのレンズ群を有し、第１レンズ群全体を物体側に繰り出すことにより、無限遠から近距離への合焦を行う。しかし、フォーカス群の重量が大きく、高速な合焦動作を行うことができない。
【０００７】
特許文献３に開示された光学系は、正、負、正、正の４つのレンズ群を有し、第１レンズ群を２つの正成分に分割し、像側の正屈折力成分を物体側に繰り出すことにより、無限遠から近距離への合焦を行う。また第４レンズ群内を３つの群に分割し、中央の負屈折力成分を防振レンズ群として、防振レンズ群の有効径を下げるため、第４レンズ群の最も物体側に強い正屈折力成分を配置している。しかし、限られたスペースに強い屈折力を持つレンズ群を複数配置するため、第４レンズ群内の各群の収差補正負担が増え、製造誤差敏感度が高くなるという問題がある。
【０００８】
本発明は、上記課題を解決し、高画素化の進んだ撮像素子を搭載したデジタル一眼レフカメラに好適なコンパクトで光学性能が良好な防振機能を有する望遠ズームレンズを提供することを目的とする。
【課題を解決するための手段】
【０００９】
上記課題を解決するための手段である本発明は、物体側より順に、正屈折力の第１レンズ群と、正屈折力の第２レンズ群と、負屈折力の第３レンズ群と、正屈折力の第４レンズ群と、負屈折力の第５レンズ群と、正屈折力の第６レンズ群と、負屈折力の第７レンズ群からなり、広角端から望遠端へのズーミングに際し各レンズ群間隔が変化し、前記第３レンズ群を光軸と直交方向に移動させることにより、手振れ発生時の像面上の像ブレ補正を行い、前記第１レンズ群は物体側より順に、正屈折力の第１１レンズ群と、正屈折力の第１２レンズ群を有し、前記第１２レンズ群を物体側へ繰り出すことにより、無限遠から近距離への合焦を行い、以下の条件を満足することを特徴とする防振機能を有するズームレンズである。
（１）０．３０＜ｆ１２／ｆ１１＜０．６０
（２）０．２０＜｜ｆ３／ｆ１｜＜０．２３
（３）１．５０＜ｆ２／ｆ１２＜４．００
ただし、
ｆ１１：前記第１１レンズ群の焦点距離
ｆ１２：前記第１２レンズ群の焦点距離
ｆ１：前記第１レンズ群の焦点距離
ｆ２：前記第２レンズ群の焦点距離
ｆ３：前記第３レンズ群の焦点距離
【発明の効果】
【００１０】
本発明によれば、高画素化の進んだ撮像素子を搭載したデジタル一眼レフカメラに好適なコンパクトで光学性能が良好な防振機能を有する望遠ズームレンズを提供することができる。
【図面の簡単な説明】
【００１１】
【図１】本発明の実施例１の結像光学系の広角端無限遠合焦時のレンズ構成図である。
【図２】本発明の実施例１の広角端の無限遠物体における縦収差図である。
【図３】本発明の実施例１の広角端の無限遠物体における横収差図である。
【図４】本発明の実施例１の広角端の無限遠物体における０．３°防振時の横収差図である。
【図５】本発明の実施例１の中間焦点距離（１４４．１６ｍｍ）の無限遠物体における縦収差図である。
【図６】本発明の実施例１の中間焦点距離（１４４．１６ｍｍ）の無限遠物体における横収差図である。
【図７】本発明の実施例１の望遠端の無限遠物体における縦収差図である。
【図８】本発明の実施例１の望遠端の無限遠物体における横収差図である。
【図９】本発明の実施例１の望遠端の無限遠物体における０．１５°防振時の横収差図である。
【図１０】本発明の実施例２の結像光学系の広角端無限遠合焦時のレンズ構成図である。
【図１１】本発明の実施例２の広角端の無限遠物体における縦収差図である。
【図１２】本発明の実施例２の広角端の無限遠物体における横収差図である。
【図１３】本発明の実施例２の広角端の無限遠物体における０．３°防振時の横収差図である。
【図１４】本発明の実施例２の中間焦点距離（１４４．１８ｍｍ）の無限遠物体における縦収差図である。
【図１５】本発明の実施例２の中間焦点距離（１４４．１８ｍｍ）の無限遠物体における横収差図である。
【図１６】本発明の実施例２の望遠端の無限遠物体における縦収差図である。
【図１７】本発明の実施例２の望遠端の無限遠物体における横収差図である。
【図１８】本発明の実施例２の望遠端の無限遠物体における０．１５°防振時の横収差図である。
【図１９】本発明の実施例３の結像光学系の広角端無限遠合焦時のレンズ構成図である。
【図２０】本発明の実施例３の広角端の無限遠物体における縦収差図である。
【図２１】本発明の実施例３の広角端の無限遠物体における横収差図である。
【図２２】本発明の実施例３の広角端の無限遠物体における０．３°防振時の横収差図である。
【図２３】本発明の実施例３の中間焦点距離（１４４．１９ｍｍ）の無限遠物体における縦収差図である。
【図２４】本発明の実施例３の中間焦点距離（１４４．１９ｍｍ）の無限遠物体における横収差図である。
【図２５】本発明の実施例３の望遠端の無限遠物体における縦収差図である。
【図２６】本発明の実施例３の望遠端の無限遠物体における横収差図である。
【図２７】本発明の実施例３の望遠端の無限遠物体における０．１５°防振時の横収差図である。
【図２８】本発明の実施例４の結像光学系の広角端無限遠合焦時のレンズ構成図である。
【図２９】本発明の実施例４の広角端の無限遠物体における縦収差図である。
【図３０】本発明の実施例４の広角端の無限遠物体における横収差図である。
【図３１】本発明の実施例４の広角端の無限遠物体における０．３°防振時の横収差図である。
【図３２】本発明の実施例４の中間焦点距離（１４４．２０ｍｍ）の無限遠物体における縦収差図である。
【図３３】本発明の実施例４の中間焦点距離（１４４．２０ｍｍ）の無限遠物体における横収差図である。
【図３４】本発明の実施例４の望遠端の無限遠物体における縦収差図である。
【図３５】本発明の実施例４の望遠端の無限遠物体における横収差図である。
【図３６】本発明の実施例４の望遠端の無限遠物体における０．１５°防振時の横収差図である。
【図３７】本発明の実施例５の結像光学系の広角端無限遠合焦時のレンズ構成図である。
【図３８】本発明の実施例５の広角端の無限遠物体における縦収差図である。
【図３９】本発明の実施例５の広角端の無限遠物体における横収差図である。
【図４０】本発明の実施例５の広角端の無限遠物体における０．３°防振時の横収差図である。
【図４１】本発明の実施例５の中間焦点距離（１４４．２０ｍｍ）の無限遠物体における縦収差図である。
【図４２】本発明の実施例５の中間焦点距離（１４４．２０ｍｍ）の無限遠物体における横収差図である。
【図４３】本発明の実施例５の望遠端の無限遠物体における縦収差図である。
【図４４】本発明の実施例５の望遠端の無限遠物体における横収差図である。
【図４５】本発明の実施例５の望遠端の無限遠物体における０．１５°防振時の横収差図である。
【発明を実施するための形態】
【００１２】
本発明の防振機能を有する望遠ズームレンズは、物体側から順に、正屈折力の第１レンズ群と、正屈折力の第２レンズ群と、負屈折力の第３レンズ群と、正屈折力の第４レンズ群と、負屈折力の第５レンズ群と、正屈折力の第６レンズ群と、負屈折力の第７レンズ群を有し、前記第３レンズ群を光軸と直交方向に移動させることにより、手振れ発生時の像面上の像ブレ補正を行い、前記第１レンズ群は物体側より順に、正屈折力の第１１レンズ群と、正屈折力の第１２レンズ群を有し、前記第１２群を光軸と平行に移動することによって無限遠から近距離への合焦を行う構成となっている。
【００１３】
従来、４倍程度のズーム比を持つ写真用望遠ズームレンズとしては、正負正正の４群タイプが一般的であった。４群以下の望遠ズームレンズは、比較的簡易な機構をとることが可能であり、さらにレンズ構成枚数を最小化することで、携帯性に優れた製品とすることができる。
【００１４】
しかし、近年の一眼レフカメラの高画素化によって、交換レンズに対し、より高いレベルの性能が求められるようになっている。４群以下の望遠ズームレンズで高性能化を実現しようとすると、高度な収差補正を行うために各群のレンズ構成枚数を増やす必要が生じるが、製造誤差敏感度が大きくなり、安定的に製造を行うことが困難となる。
【００１５】
そこで、本発明の結像光学系では、物体側から順に、正屈折力の第１レンズ群と、正屈折力の第２レンズ群と、負屈折力の第３レンズ群と、正屈折力の第４レンズ群と、負屈折力の第５レンズ群と、正屈折力の第６レンズ群と、負屈折力の第７レンズ群を配置し、各群のパワー配置を適切に設定し、径方向のコンパクト化を達成すると共に、高性能化と製造誤差敏感度の低減を両立させた。
【００１６】
また、前記第１レンズ群は、物体側から順に、第１１レンズ群と、第１２レンズ群に分割し、前記第１２レンズ群を無限遠から近距離への合焦を行うためのフォーカス群とした。これにより、１群全体でフォーカスするときに比べ、フォーカス重量の軽量化が可能であり、且つフォーカス群の径を下げることができることから、鏡筒の大型化を防ぐことができる。また前記第１１レンズ群及び、第１２レンズ群それぞれに正屈折力の接合レンズを配置することで前記第１レンズ群内での収差発生、特に望遠端で問題になるコマ収差を極力抑えている。
【００１７】
また、負屈折力を持つ第３レンズ群を光軸と垂直方向に動かすことで手振れ発生時の像面上の像ブレ補正を行っているが、第３レンズ群よりも物体側に複数の正屈折力成分を配置することにより、第３レンズ群に入射する軸上光線高を十分に小さくすることができる。これにより、防振群の小型化が達成され、製品外径の小型化が可能になる。
【００１８】
高性能化と製品外径の小型化の課題を解決するために、前記の構成をとった上で、本発明の結像光学系では、以下の条件式を満足することが望ましい。
（１）０．３０＜ｆ１２／ｆ１１＜０．６０
（２）０．２０＜｜ｆ３／ｆ１｜＜０．２３
（３）１．５０＜ｆ２／ｆ１２＜４．００
ｆ１１：前記第１１レンズ群の焦点距離
ｆ１２：前記第１２レンズ群の焦点距離
ｆ１：前記第１レンズ群の焦点距離
ｆ２：前記第２レンズ群の焦点距離
ｆ３：前記第３レンズ群の焦点距離
【００１９】
条件式（１）は、製品外径の小型化と高性能化を両立するために、前記第１１レンズ群の焦点距離ｆ１１と前記第１２レンズ群の焦点距離ｆ１２の適切な比率を規定するものである。
【００２０】
条件式（１）の下限値を超え、前記第１１レンズ群の正屈折力が相対的に弱くなると、フォーカス群である前記第１２レンズ群に入射する軸上光線高を十分に下げることができない。そのためフォーカス群近辺のレンズの外径が大きくなり、フォーカス重量も増える。また前記第１２レンズ群の正屈折力が強くなりすぎると、製造誤差敏感度が高くなり好ましくない。
【００２１】
条件式（１）の上限値を超え、前記第１１レンズ群の正屈折力が強くなると、適切な屈折力配置に対して第１レンズ群内の主点が物体側に移動する。このとき広角端において第１レンズ群と第２レンズ群との間隔を十分に確保することが困難となる。
【００２２】
なお、条件式（１）について、その下限値をさらに０．３５に、また、上限値をさらに０．５５とすることで、前述の効果をより確実にすることができる。
【００２３】
条件式（２）は、手振れ補正のために必要となる適切な防振敏感度を得るために、前記第１レンズ群と前記第３レンズ群の焦点距離の比率の絶対値を規定するものである。
【００２４】
条件式（２）の下限値を超えて、第１レンズ群の正屈折力に対し、第３レンズ群の負屈折力が強くなると、防振敏感度は大きくなり、防振のために必要な光軸と垂直な方向の移動量は小さくなり、レンズ外径のコンパクト化が可能になる。しかし、防振群の製造誤差敏感度や光軸方向の位置ズレによるピント移動が大きくなってしまう。また、第３レンズ群の焦点距離を適切に保った上で、第１レンズ群の焦点距離が長くなると、広角端から望遠端へのズーミングに際して第１レンズ群の移動量が大きくなり十分な小型化が困難になる。
【００２５】
条件式（２）の上限値を超えて、第１レンズ群の正屈折力に対し、第３レンズ群の負屈折力が弱くなると、防振敏感度は小さくなり、防振のために必要な光軸と垂直な方向の移動量が大きくなる。そのため、防振ユニットが大きくなり鏡筒が大型化する。また、第３レンズ群の焦点距離を適切に保ったうえで、第１レンズ群の焦点距離が短くなると、第１レンズ群の製造誤差敏感度が大きくなり、安定して製造を行うことが困難となる。
【００２６】
条件式（３）は、防振群である第３レンズ群に入射する軸上光線高を下げるための適切な第１２レンズ群と第２レンズ群の焦点距離の比率を規定するものである。
【００２７】
条件式（３）の下限値を超えて、第１２レンズ群に対し、第２レンズ群の正屈折力が強くなると、第２レンズ群で発生する収差が大きくなり、第２レンズ群での収差補正のためレンズ枚数が増加する。
【００２８】
条件式（３）の上限値を超えて、第１２レンズ群に対し、第２レンズ群の正屈折力が弱くなると、第２レンズ群での光線収束効果が小さくなり、第３レンズ群に入射する軸上光線高を十分に下げることができない。
【００２９】
なお、条件式（３）について、その下限値をさらに２．００に、また、上限値をさらに３．５０とすることで、前述の効果をより確実にすることができる。
【００３０】
次に、本発明の光学系に係る実施例のレンズ構成について説明する。なお、以下の説明ではレンズ構成を物体側から像面側の順番で記載する。
【実施例１】
【００３１】
図１は本発明の実施例１にかかる防振機能を有するズームレンズのレンズ構成図である。
【００３２】
図１において、防振機能を有するズームレンズは、物体側から順に、正の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、負の屈折力を有する第７レンズ群Ｇ７から構成され、広角端状態（Ｗ）から望遠端状態（Ｔ）への変倍に際し、第１レンズ群は物体側へ移動し、第２レンズ群は固定し、第３レンズ群は物体側へ移動し、第４レンズ群は物体側へ移動し、第５レンズ群は固定し、第６レンズ群は物体側へ移動し、第７レンズ群は物体側へ移動する構成となっている。
【００３３】
第１レンズ群Ｇ１は、物体側から順に、正の屈折力を有する第１１レンズ群Ｇ１１と正の屈折力を有する第１２レンズ群Ｇ１２からなり、第１１レンズ群Ｇ１１は物体側から順に、物体側に凸面を向けた負メニスカスレンズと正メニスカスレンズの接合レンズからなり、第１２レンズ群Ｇ１２は物体側から順に、物体側に凸面を向けた負メニスカスレンズと両凸形状の正レンズの接合レンズからなる。
【００３４】
第２レンズ群Ｇ２は、像面側に凸面を向けた平凸形状の正レンズからなる。
【００３５】
第３レンズ群Ｇ３は、物体側から順に、両凹形状の負レンズと、両凹形状の負レンズと物体側に凸面を向けた正メニスカスレンズの接合レンズからなる。
【００３６】
第４レンズ群Ｇ４は、物体側から順に、像面側に凸面を向けた正メニスカスレンズと、両凸形状の正レンズと両凹形状の負レンズの接合レンズからなる。
【００３７】
第５レンズ群Ｇ５は、物体側から順に、両凹形状の負レンズと、両凸形状の正レンズの接合レンズからなる。
【００３８】
第６レンズ群Ｇ６は、物体側から順に、像面側に凸面を向けた正メニスカスレンズと、両凸形状の正レンズと像面側に凸面を向けた負メニスカスレンズと、物体側に凸面を向けた正メニスカスレンズからなる。
【００３９】
第７レンズ群Ｇ７は、物体側から順に、物体側に凸面を向けた負メニスカスレンズと、両凸形状の正レンズと、両凹形状の負レンズと、両凸形状の正レンズからなる。
【００４０】
開口絞りＳは第４レンズ群Ｇ４の最も像側に配置され、広角端状態（Ｗ）から望遠端状態（Ｔ）への変倍に際し、第４レンズ群Ｇ４と共に移動する。
【００４１】
手振れ発生時には、第３レンズ群を光軸と直交方向に移動させることにより、像面上の像ぶれ補正を行う。
【００４２】
無限遠から近距離へのフォーカシングは、第１２レンズ群Ｇ１２を物体方向に移動させて行う。
【００４３】
図４は、実施例１にかかる防振機能を有するズームレンズの広角端状態での無限遠状態において０．３°の回転ぶれに対するぶれ補正をおこなった時のメリジオナル横収差図を示す。図９は実施例１にかかる防振機能を有するズームレンズの望遠端状態での無限遠状態において０．１５°の回転ぶれに対するぶれ補正を行った時のメリジオナル横収差図を示す。
【００４４】
なお、全系の焦点距離がｆで、防振係数（ぶれ補正での移動レンズ群の移動量に対する結像面での像移動量の比）がＫのレンズで角度θの回転ぶれを補正するには、ぶれ補正用の移動レンズ群を（ｆ・ｔａｎθ）／Ｋだけ光軸と直交方向に移動させればよい。本関係は以降の他の実施例についても同様であり説明を省略する。
【００４５】
また、防振レンズ群の倍率をβｏｓ、防振レンズ群より像側のレンズ群の倍率をβｒｅａｒとすると、一般に防振係数Ｋｏｓは下記の式で表わされる。
Ｋｏｓ＝Δｉｍｇ／Δｘ＝βｒｅａｒ×（１−βｏｓ）
Δｉｍｇ：結像面における像の移動量
Δｘ：防振レンズ群の移動量
一般にＫｏｓが小さいと必要な手振れ補正角を得るために必要な防振レンズ群の移動量が大きくなり、防振レンズユニットの径が大きくなり、レンズ外径の大型化を招く。本関係は以降の他の実施例についても同様であり説明を省略する。
【００４６】
実施例１の広角端状態（Ｗ）においては、防振係数は−２．１０であり、焦点距離は７２．０６（ｍｍ）であるので、０．３０°の回転ぶれを補正するための第３レンズ群Ｇ３の移動量は０．１８ｍｍである。また望遠端状態（Ｔ）においては、防振係数は−４．４１であり、焦点距離は２８９．９９（ｍｍ）であるので、０．１５°の回転ぶれを補正するための第３レンズ群Ｇ３の移動量は０．１７（ｍｍ）である。
【実施例２】
【００４７】
図１０は本発明の実施例２にかかる防振機能を有するズームレンズのレンズ構成図である。
【００４８】
図１０において、防振機能を有するズームレンズは、物体側から順に、正の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、負の屈折力を有する第７レンズ群Ｇ７から構成され、広角端状態（Ｗ）から望遠端状態（Ｔ）への変倍に際し、第１レンズ群は物体側へ移動し、第２レンズ群は固定し、第３レンズ群は物体側へ移動し、第４レンズ群は物体側へ移動し、第５レンズ群は初めに物体側に移動し、その後、像面側に移動し、第６レンズ群は物体側へ移動し、第７レンズ群は物体側へ移動する構成となっている。
【００４９】
第１レンズ群Ｇ１は、物体側から順に、正の屈折力を有する第１１レンズ群Ｇ１１と正の屈折力を有する第１２レンズ群Ｇ１２からなり、第１１レンズ群Ｇ１１は物体側から順に、物体側に凸面を向けた負メニスカスレンズと正メニスカスレンズの接合レンズからなり、第１２レンズ群Ｇ１２は物体側から順に、物体側に凸面を向けた負メニスカスレンズと両凸形状の正レンズの接合レンズからなる。
【００５０】
第２レンズ群Ｇ２は、像面側に凸面を向けた平凸形状の正レンズからなる。
【００５１】
第３レンズ群Ｇ３は、物体側から順に、両凹形状の負レンズと、両凹形状の負レンズと物体側に凸面を向けた正メニスカスレンズの接合レンズからなる。
【００５２】
第４レンズ群Ｇ４は、物体側から順に、両凸形状の正レンズと、両凸形状の正レンズと両凹形状の負レンズの接合レンズからなる。
【００５３】
第５レンズ群Ｇ５は、物体側から順に、両凹形状の負レンズと、両凸形状の正レンズの接合レンズからなる。
【００５４】
第６レンズ群Ｇ６は、物体側から順に、像面側に凸面を向けた正メニスカスレンズと、両凸形状の正レンズと像面側に凸面を向けた負メニスカスレンズと、物体側に凸面を向けた正メニスカスレンズからなる。
【００５５】
第７レンズ群Ｇ７は、物体側から順に、物体側に凸面を向けた負メニスカスレンズと、両凸形状の正レンズと、両凹形状の負レンズと、両凸形状の正レンズからなる。
【００５６】
開口絞りＳは第４レンズ群Ｇ４の最も像側に配置され、広角端状態（Ｗ）から望遠端状態（Ｔ）への変倍に際し、第４レンズ群Ｇ４と共に移動する。
【００５７】
手振れ発生時には、第３レンズ群を光軸と直交方向に移動させることにより、像面上の像ぶれ補正を行う。
【００５８】
無限遠から近距離へのフォーカシングは、第１２レンズ群Ｇ１２を物体方向に移動させて行う。
【００５９】
図１３は、実施例２にかかる防振機能を有するズームレンズの広角端状態での無限遠状態において０．３°の回転ぶれに対するぶれ補正をおこなった時のメリジオナル横収差図を示す。図１８は実施例２にかかる防振機能を有するズームレンズの望遠端状態での無限遠状態において０．１５°の回転ぶれに対するぶれ補正を行った時のメリジオナル横収差図を示す。
【００６０】
実施例２の広角端状態（Ｗ）においては、防振係数は−２．２１であり、焦点距離は７２．１３（ｍｍ）であるので、０．３０°の回転ぶれを補正するための第３レンズ群Ｇ３の移動量は０．１７ｍｍである。また望遠端状態（Ｔ）においては、防振係数は−４．５４であり、焦点距離は２９０．００（ｍｍ）であるので、０．１５°の回転ぶれを補正するための第３レンズ群Ｇ３の移動量は０．１７（ｍｍ）である。
【実施例３】
【００６１】
図１９は本発明の実施例３にかかる防振機能を有するズームレンズのレンズ構成図である。
【００６２】
図１９において、防振機能を有するズームレンズは、物体側から順に、正の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、負の屈折力を有する第７レンズ群Ｇ７から構成され、広角端状態（Ｗ）から望遠端状態（Ｔ）への変倍に際し、第１レンズ群は物体側へ移動し、第２レンズ群は固定し、第３レンズ群は物体側へ移動し、第４レンズ群は物体側へ移動し、第５レンズ群は固定し、第６レンズ群は物体側へ移動し、第７レンズ群は物体側へ移動する構成となっている。
【００６３】
第１レンズ群Ｇ１は、物体側から順に、正の屈折力を有する第１１レンズ群Ｇ１１と正の屈折力を有する第１２レンズ群Ｇ１２からなり、第１１レンズ群Ｇ１１は物体側から順に、物体側に凸面を向けた負メニスカスレンズと正メニスカスレンズの接合レンズからなり、第１２レンズ群Ｇ１２は物体側から順に、物体側に凸面を向けた負メニスカスレンズと両凸形状の正レンズの接合レンズからなる。
【００６４】
第２レンズ群Ｇ２は、像面側に凸面を向けた平凸形状の正レンズからなる。
【００６５】
第３レンズ群Ｇ３は、物体側から順に、両凹形状の負レンズと、両凹形状の負レンズと物体側に凸面を向けた正メニスカスレンズの接合レンズからなる。
【００６６】
第４レンズ群Ｇ４は、物体側から順に、像面側に凸面を向けた正メニスカスレンズと、両凸形状の正レンズと両凹レンズの接合レンズからなる。
【００６７】
第５レンズ群Ｇ５は、物体側から順に、両凹形状の負レンズと、両凸形状の正レンズの接合レンズからなる。
【００６８】
第６レンズ群Ｇ６は、物体側から順に、像面側に凸面を向けた正メニスカスレンズと、両凸形状の正レンズと像面側に凸面を向けた負メニスカスレンズと、物体側に凸面を向けた正メニスカスレンズからなる。
【００６９】
第７レンズ群Ｇ７は、物体側から順に、物体側に凸面を向けた負メニスカスレンズと、両凸形状の正レンズと、両凹形状の負レンズと、両凸形状の正レンズからなる。
【００７０】
開口絞りＳは第４レンズ群Ｇ４の最も像側に配置され、広角端状態（Ｗ）から望遠端状態（Ｔ）への変倍に際し、第４レンズ群Ｇ４と共に移動する。
【００７１】
手振れ発生時には、第３レンズ群を光軸と直交方向に移動させることにより、像面上の像ぶれ補正を行う。
【００７２】
無限遠から近距離へのフォーカシングは、第１２レンズ群Ｇ１２を物体方向に移動させて行う。
【００７３】
図２２は、実施例３にかかる防振機能を有するズームレンズの広角端状態での無限遠状態において０．３°の回転ぶれに対するぶれ補正をおこなった時のメリジオナル横収差図を示す。図２７は実施例３にかかる防振機能を有するズームレンズの望遠端状態での無限遠状態において０．１５°の回転ぶれに対するぶれ補正を行った時のメリジオナル横収差図を示す。
【００７４】
実施例３の広角端状態（Ｗ）においては、防振係数は−２．０３であり、焦点距離は７２．０６（ｍｍ）であるので、０．３０°の回転ぶれを補正するための第３レンズ群Ｇ３の移動量は０．１９ｍｍである。また望遠端状態（Ｔ）においては、防振係数は−４．２０であり、焦点距離は２８９．９９（ｍｍ）であるので、０．１５°の回転ぶれを補正するための第３レンズ群Ｇ３の移動量は０．１８（ｍｍ）である。
【実施例４】
【００７５】
図２８は本発明の実施例４にかかる防振機能を有するズームレンズのレンズ構成図である。
【００７６】
図２８において、防振機能を有するズームレンズは、物体側から順に、正の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、負の屈折力を有する第７レンズ群Ｇ７から構成され、広角端状態（Ｗ）から望遠端状態（Ｔ）への変倍に際し、第１レンズ群は物体側へ移動し、第２レンズ群は固定し、第３レンズ群は初めに物体側に移動し、その後、像面側へ移動し、第４レンズ群は物体側へ移動し、第５レンズ群は固定し、第６レンズ群は物体側へ移動し、第７レンズ群は物体側へ移動する構成となっている。
【００７７】
第１レンズ群Ｇ１は、物体側から順に、正の屈折力を有する第１１レンズ群Ｇ１１と正の屈折力を有する第１２レンズ群Ｇ１２からなり、第１１レンズ群Ｇ１１は物体側から順に、物体側に凸面を向けた負メニスカスレンズと正メニスカスレンズの接合レンズからなり、第１２レンズ群Ｇ１２は物体側から順に、物体側に凸面を向けた負メニスカスレンズと両凸形状の正レンズの接合レンズからなる。
【００７８】
第２レンズ群Ｇ２は、像面側に凸面を向けた平凸形状の正レンズからなる。
【００７９】
第３レンズ群Ｇ３は、物体側から順に、両凹形状の負レンズと、両凹形状の負レンズと物体側に凸面を向けた正メニスカスレンズの接合レンズからなる。
【００８０】
第４レンズ群Ｇ４は、物体側から順に、像面側に凸面を向けた正メニスカスレンズと、両凸形状の正レンズと両凹レンズの接合レンズからなる。
【００８１】
第５レンズ群Ｇ５は、物体側から順に、両凹形状の負レンズと、両凸形状の正レンズの接合レンズからなる。
【００８２】
第６レンズ群Ｇ６は、物体側から順に、像面側に凸面を向けた正メニスカスレンズと、両凸形状の正レンズと像面側に凸面を向けた負メニスカスレンズと、物体側に凸面を向けた正メニスカスレンズからなる。
【００８３】
第７レンズ群Ｇ７は、物体側から順に、物体側に凸面を向けた負メニスカスレンズと、両凸形状の正レンズと、両凹形状の負レンズと両凸形状の正レンズの接合レンズからなる。
【００８４】
開口絞りＳは第４レンズ群Ｇ４の最も像側に配置され、広角端状態（Ｗ）から望遠端状態（Ｔ）への変倍に際し、第４レンズ群Ｇ４と共に移動する。
【００８５】
手振れ発生時には、第３レンズ群を光軸と直交方向に移動させることにより、像面上の像ぶれ補正を行う。
【００８６】
無限遠から近距離へのフォーカシングは、第１２レンズ群Ｇ１２を物体方向に移動させて行う。
【００８７】
図３１は、実施例４にかかる防振機能を有するズームレンズの広角端状態での無限遠状態において０．３°の回転ぶれに対するぶれ補正をおこなった時のメリジオナル横収差図を示す。図３６は実施例４にかかる防振機能を有するズームレンズの望遠端状態での無限遠状態において０．１５°の回転ぶれに対するぶれ補正を行った時のメリジオナル横収差図を示す。
【００８８】
実施例４の広角端状態（Ｗ）においては、防振係数は−２．１４であり、焦点距離は７２．０６（ｍｍ）であるので、０．３０°の回転ぶれを補正するための第３レンズ群Ｇ３の移動量は０．１８ｍｍである。また望遠端状態（Ｔ）においては、防振係数は−４．４６であり、焦点距離は２９０．００（ｍｍ）であるので、０．１５°の回転ぶれを補正するための第３レンズ群Ｇ３の移動量は０．１７（ｍｍ）である。
【実施例５】
【００８９】
図３７は本発明の実施例５にかかる防振機能を有するズームレンズのレンズ構成図である。
【００９０】
図３７において、防振機能を有するズームレンズは、物体側から順に、正の屈折力を有する第１レンズ群Ｇ１と、正の屈折力を有する第２レンズ群Ｇ２と、負の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、負の屈折力を有する第７レンズ群Ｇ７から構成され、広角端状態（Ｗ）から望遠端状態（Ｔ）への変倍に際し、第１レンズ群は物体側へ移動し、第２レンズ群は固定し、第３レンズ群は像側に移動し、第４レンズ群は物体側へ移動し、第５レンズ群は固定し、第６レンズ群は物体側へ移動し、第７レンズ群は物体側へ移動する構成となっている。
【００９１】
第１レンズ群Ｇ１は、物体側から順に、正の屈折力を有する第１１レンズ群Ｇ１１と正の屈折力を有する第１２レンズ群Ｇ１２からなり、第１１レンズ群Ｇ１１は物体側から順に、物体側に凸面を向けた負メニスカスレンズと正メニスカスレンズの接合レンズからなり、第１２レンズ群Ｇ１２は物体側から順に、物体側に凸面を向けた負メニスカスレンズと両凸形状の正レンズの接合レンズからなる。
【００９２】
第２レンズ群Ｇ２は、像面側に凸面を向けた平凸形状の正レンズからなる。
【００９３】
第３レンズ群Ｇ３は、物体側から順に、両凹形状の負レンズと、両凹形状の負レンズと物体側に凸面を向けた正メニスカスレンズの接合レンズからなる。
【００９４】
第４レンズ群Ｇ４は、物体側から順に、両凸形状の正レンズと、両凸形状の正レンズと両凹レンズの接合レンズからなる。
【００９５】
第５レンズ群Ｇ５は、物体側から順に、両凹形状の負レンズと、両凸形状の正レンズの接合レンズからなる。
【００９６】
第６レンズ群Ｇ６は、物体側から順に、像面側に凸面を向けた正メニスカスレンズと、両凸形状の正レンズと像面側に凸面を向けた負メニスカスレンズと、物体側に凸面を向けた正メニスカスレンズからなる。
【００９７】
第７レンズ群Ｇ７は、物体側から順に、物体側に凸面を向けた負メニスカスレンズと、両凸形状の正レンズと、両凹形状の負レンズと、両凸形状の正レンズからなる。
【００９８】
開口絞りＳは第４レンズ群Ｇ４の最も像側に配置され、広角端状態（Ｗ）から望遠端状態（Ｔ）への変倍に際し、第４レンズ群Ｇ４と共に移動する。
【００９９】
手振れ発生時には、第３レンズ群を光軸と直交方向に移動させることにより、像面上の像ぶれ補正を行う。
【０１００】
無限遠から近距離へのフォーカシングは、第１２レンズ群Ｇ１２を物体方向に移動させて行う。
【０１０１】
図４０は、実施例５にかかる防振機能を有するズームレンズの広角端状態での無限遠状態において０．３°の回転ぶれに対するぶれ補正をおこなった時のメリジオナル横収差図を示す。図４５は実施例５にかかる防振機能を有するズームレンズの望遠端状態での無限遠状態において０．１５°の回転ぶれに対するぶれ補正を行った時のメリジオナル横収差図を示す。
【０１０２】
実施例５の広角端状態（Ｗ）においては、防振係数は−２．１２であり、焦点距離は７２．０６（ｍｍ）であるので、０．３０°の回転ぶれを補正するための第３レンズ群Ｇ３の移動量は０．１８ｍｍである。また望遠端状態（Ｔ）においては、防振係数は−４．３２であり、焦点距離は２９０．００（ｍｍ）であるので、０．１５°の回転ぶれを補正するための第３レンズ群Ｇ３の移動量は０．１８（ｍｍ）である。
【０１０３】
以下に、前述した本発明の結像光学系の各実施例の具体的な数値データを示す。
【０１０４】
［面データ］において、面番号は物体側から数えたレンズ面又は開口絞りの番号、ｒは各面の曲率半径、ｄは各面の間隔、ｎｄはｄ線（波長５８７．５６ｎｍ）に対する屈折率、ｖｄはｄ線に対するアッベ数を示している。
【０１０５】
ＢＦはバックフォーカスを表している。
【０１０６】
面番号に付した（絞り）は、その位置に開口絞りが位置していることを示している。平面又は開口絞りに対する曲率半径には∞（無限大）を記入している。
【０１０７】
［各種データ］には、ズーム比及び各焦点距離状態における焦点距離等の値を示している。
【０１０８】
［可変間隔データ］には、各焦点距離状態における可変間隔及びＢＦの値を示している。
【０１０９】
［レンズ群データ］には、各レンズ群を構成する最も物体側の面番号及び群全体の合成焦点距離を示している。
【０１１０】
なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【０１１１】
また、これらの各実施例における条件式の対応値の一覧を示す。
【０１１２】
また、各実施例に対応する収差図において、ｄ、ｇ、Ｃはそれぞれｄ線、ｇ線、Ｃ線を表しており、△Ｓ、△Ｍはそれぞれサジタル像面、メリジオナル像面を表している。
【０１１３】
数値実施例１
単位：mm
[面データ]
面番号            r              d             nd             vd
物面                  ∞           (d0)                               
1              97.6154         1.7000        1.69479          53.41
2              65.9213         7.6006        1.43700          95.10
3            1000.0000        15.9350
4              75.5037         1.5000        1.70154          41.15
5              49.3658         8.5292        1.49700          81.61
6           -1000.0000           (d6)
7                   ∞         1.5144        1.48749          70.44
8            -249.6178           (d8)
9            -160.7774         0.8000        1.77250          49.62
10              42.9009         2.6931
11             -45.9445         0.8000        1.72916          54.67
12              34.7038         3.1916        1.84666          23.78
13            1000.0000          (d13)
14            -208.1114         3.1617        1.59282          68.62
15             -46.7453         0.1500
16              41.5250         5.6500        1.65844          50.85
17             -41.5250         0.9000        1.75520          27.53
18             226.3365         2.5261
19（絞り）               ∞          (d19)
20             -37.8465         0.8000        1.61800          63.40
21              82.7888         2.2737        1.72825          28.32
22            -478.5749          (d22)
23            -331.3216         3.4697        1.80611          40.73
24             -40.8055         0.1500
25              60.0000         5.5925        1.49700          81.61
26             -37.7606         0.8000        2.00060          25.46
27            -360.7781         0.1500
28              54.8081         2.9834        1.70154          41.15
29            1000.0000          (d29)
30              67.0000         0.8000        1.83400          37.35
31              31.2000         2.4825
32             603.0256         3.8253        1.62004          36.30
33             -39.9134         2.9274
34             -37.2692         0.9000        1.80420          46.50
35              48.7606         0.4158
36              44.5743         4.1695        1.74077          27.76
37            -589.4897           (BF)
像面                  ∞                                              
[各種データ]
ズーム比              4.02
広角           中間           望遠
焦点距離             72.04         144.12         289.92
Fナンバー             4.09           4.93           5.86
全画角2ω            33.41          17.07           8.53
像高Y              21.63          21.63          21.63
レンズ全長           197.80         223.03         245.17
[可変間隔データ]
広角           中間           望遠      
d6               4.1747        29.3747        51.4475
d8               3.5677         3.5677         3.4377
d13             19.2217         8.5339         1.9536
d19              3.8158        14.5036        21.2138
d22             16.3371         9.0830         1.7500
d29             10.3916        11.6546         0.8800
BF              52.0021        57.9932        76.1008
[レンズ群データ]
群            始面         焦点距離
G1              1               123.77
G2              7               512.05
G3              9               -27.00
G4             14                48.36
G5             20               -74.50
G6             23                37.00
G7             30               -57.21
G11             1               356.05 
G12             4               176.67
【０１１４】
数値実施例２
単位：mm
[面データ]
面番号            r              d             nd             vd
物面                  ∞           (d0)                               
1             114.5709         1.7000        1.69479          53.41
2              75.7097         6.9402        1.43700          95.10
3            1000.0000        15.9350
4              70.8617         1.5000        1.70154          41.15
5              46.5586         9.0766        1.49700          81.61
6           -1000.0000           (d6)
7                   ∞         1.3113        1.48749          70.44
8            -219.0413           (d8)
9            -183.7015         0.8000        1.77250          49.62
10              40.5430         2.7812
11             -44.2563         0.8000        1.72916          54.67
12              33.9595         3.2099        1.84666          23.78
13             865.7356          (d13)
14             747.7732         3.9589        1.59282          68.62
15             -60.0147         0.1500
16              42.1570         7.3564        1.65844          50.85
17             -42.1570         0.9000        1.75520          27.53
18             229.9000         1.9320
19（絞り）               ∞          (d19)
20             -40.8335         0.8000        1.61800          63.40
21              89.4985         2.1453        1.72825          28.32
22           -1000.0000          (d22)
23            -220.0000         3.2253        1.80611          40.73
24             -41.1881         0.1500
25              60.0000         5.6412        1.49700          81.61
26             -39.5389         0.8000        2.00069          25.46
27            -254.8266         0.1500
28              47.1102         2.8910        1.74400          44.90
29             162.1584          (d29)
30              69.5000         0.8000        1.91082          35.25
31              32.1203         2.4338
32             243.5562         3.7372        1.64769          33.84
33             -43.8413         3.5108
34             -37.6588         0.9000        1.80420          46.50
35              52.1500         0.4766
36              46.6013         3.8500        1.74077          27.76
37            -620.0000           (BF)
像面                  ∞                                              
[各種データ]
ズーム比              4.02
広角           中間           望遠
焦点距離             72.13         144.18         290.00
Fナンバー             4.13           5.21           5.88
全画角2ω            33.92          16.82           8.33
像高Y              21.63          21.63          21.63
レンズ全長           197.90         219.39         247.87
[可変間隔データ]
広角           中間           望遠      
d6               4.1536        25.6424        54.1175
d8               3.5000         3.5000         3.3700
d13             17.2849         3.5530         1.5854
d19              3.7057         0.5347        16.0097
d22             16.6833        14.1924         1.9115
d29             10.7097        14.2690         1.2802
BF              52.0021        67.8365        79.7289
[レンズ群データ]
群            始面         焦点距離
G1              1               125.90
G2              7               449.33
G3              9               -26.15
G4             14                46.85
G5             20               -76.06
G6             23                37.50
G7             30               -58.91
G11             1               444.18 
G12             4               166.08 
【０１１５】
数値実施例３
単位：mm
[面データ]
面番号            r              d             nd             vd
物面                  ∞           (d0)                               
1             118.3473         1.7000        1.74400          44.90
2              77.0508         6.5823        1.49700          81.61
3             870.1469        17.1558
4              73.6938         1.5000        1.70154          41.15
5              48.0735         8.7659        1.49700          81.61
6           -1000.0000           (d6)
7                   ∞         1.4813        1.48749          70.44
8            -280.7924           (d8)
9            -160.2741         0.8000        1.77250          49.62
10              44.5600         2.5880
11             -46.8243         0.8000        1.72916          54.67
12              35.9855         3.1168        1.84666          23.78
13            2086.4635          (d13)
14            -167.1109         2.5290        1.59282          68.62
15             -50.8805         0.1500
16              44.3142         5.1789        1.65844          50.85
17             -44.3142         0.9000        1.74077          27.76
18             398.1742         1.7320
19（絞り）               ∞          (d19)
20             -37.0192         0.8000        1.61800          63.40
21             102.8969         2.1172        1.72825          28.32
22            -433.7906          (d22)
23            -481.3125         3.3411        1.80611          40.73
24             -41.7060         0.1876
25              77.7917         5.0000        1.49700          81.61
26             -37.1256         0.8000        2.00069          25.46
27            -149.3610         0.1500
28              52.7494         2.4884        1.62041          60.34
29             234.8149          (d29)
30              67.0000         0.8000        1.83400          37.34
31              32.7115         2.4700
32             437.9623         3.4568        1.62004          36.30
33             -42.4601         3.5196
34             -39.2283         0.9000        1.80420          46.50
35              50.8007         0.1500
36              45.5483         3.8866        1.74077          27.76
37            -620.0000           (BF)
像面                  ∞                                              
[各種データ]
ズーム比              4.02
広角           中間           望遠
焦点距離             72.06         144.19         289.99
Fナンバー             4.12           4.98           5.87
全画角2ω            34.05          16.68           8.29
像高Y              21.63          21.63          21.63
レンズ全長           197.63         222.83         246.66
[可変間隔データ]
広角           中間           望遠      
d6               4.6231        29.8231        53.6622
d8               3.5747         3.5747         3.4447
d13             19.7056         8.1964         2.4351
d19              4.2721        15.7812        21.6726
d22             15.4396         8.3841         1.6734
d29             12.9612        15.5620         1.0953
BF              52.0021        56.4568        77.6341
[レンズ群データ]
群            始面         焦点距離
G1              1               125.73
G2              7               576.00
G3              9               -28.06
G4             14                50.90
G5             20               -72.00
G6             23                38.18
G7             30               -64.36
G11             1               393.60 
G12             4               173.07
【０１１６】
数値実施例４
単位：mm
[面データ]
面番号            r              d             nd             vd
物面                  ∞           (d0)                               
1             107.3759         1.7000        1.74400          44.90
2              69.1832         7.0531        1.49700          81.61
3            1060.8331        17.7083
4              79.5482         1.5000        1.70154          41.15
5              52.1223         7.9409        1.49700          81.61
6           -1000.0000           (d6)
7                   ∞         1.4925        1.48749          70.44
8            -238.2434           (d8)
9            -148.2835         0.8000        1.77250          49.62
10              43.5753         2.6614
11             -44.4465         0.8000        1.72916          54.67
12              34.1581         3.1653        1.84666          23.78
13             800.1022          (d13)
14            -134.6122         2.5288        1.59282          68.62
15             -44.3566         0.1500
16              37.9996         5.6999        1.65844          50.85
17             -37.9996         0.9000        1.74077          27.76
18             283.4405         1.7896
19（絞り）               ∞          (d19)
20             -35.4040         0.8000        1.61800          63.40
21              83.8385         2.2131        1.72825          28.32
22           -2686.6099          (d22)
23            -556.2629         3.5735        1.80611          40.73
24             -38.5938         2.6486
25             133.4628         5.0000        1.49700          81.61
26             -31.1095         0.8000        2.00069          25.46
27             -82.4973         0.1500
28              42.3141         2.0267        1.62041          60.34
29              58.8162          (d29)
30              67.0000         0.8000        1.83400          37.34
31              42.6521         2.4700
32             254.8081         4.0037        1.62004          36.30
33             -40.7544         0.2639
34             -37.7110         0.9000        1.80420          46.50
35              62.0457         3.4994        1.74077          27.76
36            -620.0000           (BF)
像面                  ∞                                              
[各種データ]
ズーム比              4.02
広角           中間           望遠
焦点距離             72.06         144.20         290.00
Fナンバー             4.12           4.99           5.87
全画角2ω            33.97          16.64           8.28
像高Y              21.63          21.63          21.63
レンズ全長           197.74         228.45         247.74
[可変間隔データ]
広角           中間           望遠      
d6               4.6252        35.3341        54.6252
d8               3.5478         1.7424         1.9188
d13             19.2486        12.3188         2.1213
d19              4.3939        13.1291        23.1502
d22             13.6725         7.1134         1.7744
d29             19.2943        14.9472         1.9785
BF              47.9203        58.8264         77.1342
[レンズ群データ]
群            始面         焦点距離
G1              1               126.12
G2              7               488.71
G3              9               -26.37
G4             14                45.17
G5             20               -63.09
G6             23                42.66
G7             30               -95.04
G11             1               341.89 
G12             4               185.00
【０１１７】
数値実施例５
単位：mm
[面データ]
面番号            r              d             nd             vd
物面                  ∞           (d0)                               
1             107.8330         1.7000        1.69479          53.41
2              68.3967         7.3917        1.43700          95.10
3            1000.0000        15.9350
4              71.9811         1.5000        1.70154          41.15
5              48.1870         8.7415        1.49700          81.61
6           -1000.0000           (d6)
7                   ∞         1.7253        1.48749          70.45
8            -163.5727           (d8)
9            -155.0638         0.8000        1.77250          49.62
10              43.8882         2.6516
11             -46.9081         0.8000        1.72916          54.67
12              35.9376         3.1017        1.84666          23.78
13             672.9001          (d13)
14            1617.3627         2.6019        1.59282          68.63
15             -63.8442         0.1500
16              45.5524         5.0426        1.65844          50.86
17             -45.5524         0.9000        1.75520          27.53
18             331.6724         1.6586
19（絞り）               ∞          (d19)
20             -39.1030         0.8000        1.61800          63.40
21              83.6023         2.1995        1.72825          28.32
22           -1000.0000          (d22)
23            -220.0000         3.2458        1.80610          40.73
24             -40.8287         2.8017
25              60.0000         5.7272        1.49700          81.61
26             -37.9380         0.8000        2.00069          25.46
27            -265.6861         0.1500
28              52.3063         3.0137        1.74400          44.90
29             396.2034          (d29)
30              67.5167         0.8000        1.91082          35.25
31              32.8791         2.4739
32             369.9971         3.8163        1.64769          33.84
33             -39.6036         2.4747
34             -37.2433         0.9000        1.80420          46.50
35              52.1500         2.2869
36              53.9852         3.8500        1.74077          27.76
37            -620.0000           (BF)
像面                  ∞                                            
[各種データ]
ズーム比              4.02
広角           中間           望遠
焦点距離             72.15         144.20         289.99
Fナンバー             4.12           4.81           5.72
全画角2ω            33.85          16.63           8.29
像高Y              21.63          21.63          21.63
レンズ全長           197.90         223.23         242.28
[可変間隔データ]
広角           中間           望遠      
d6               4.1722        29.4968        48.5552
d8               3.7019         6.4829         8.3901
d13             19.0865         9.4813         1.6492
d19              3.7478        10.5724        16.4970
d22             16.5624        10.3144         2.2710
d29             12.7570        12.0353         0.9488
BF              47.8346        54.8042        73.9339
[レンズ群データ]
群            始面         焦点距離
G1              1               125.85
G2              7               335.54
G3              9               -27.00
G4             14                49.93
G5             20               -72.84
G6             23                37.57
G7             30               -59.33
G11             1               440.45 
G12             4               166.26
【０１１８】
[条件式対応値]
条件式／実施例                   1     2     3     4     5
(1)０．３０＜ｆ１２／ｆ１１＜０．６０              0.50  0.37  0.44  0.54  0.38
(2)０．２０＜｜ｆ３／ｆ１｜＜０．２３              0.22  0.21  0.22  0.21  0.21
(3)１．５０＜ｆ２／ｆ１２＜４．００                2.90  2.71  3.33  2.64  2.02
【符号の説明】
【０１１９】
Ｇ１      第１レンズ群
Ｇ２      第２レンズ群
Ｇ３      第３レンズ群
Ｇ４      第４レンズ群
Ｇ５      第５レンズ群
Ｇ６      第６レンズ群
Ｇ７      第７レンズ群
Ｇ１１    第１レンズ群前群
Ｇ１２    第１レンズ群後群
Ｓ        開口絞り
Ｉ        像面
【図１】
0006357975.tif 000002
【図２】
0006357975.tif 000003
【図３】
0006357975.tif 000004
【図４】
0006357975.tif 000005
【図５】
0006357975.tif 000006
【図６】
0006357975.tif 000007
【図７】
0006357975.tif 000008
【図８】
0006357975.tif 000009
【図９】
0006357975.tif 000010
【図１０】
0006357975.tif 000011
【図１１】
0006357975.tif 000012
【図１２】
0006357975.tif 000013
【図１３】
0006357975.tif 000014
【図１４】
0006357975.tif 000015
【図１５】
0006357975.tif 000016
【図１６】
0006357975.tif 000017
【図１７】
0006357975.tif 000018
【図１８】
0006357975.tif 000019
【図１９】
0006357975.tif 000020
【図２０】
0006357975.tif 000021
【図２１】
0006357975.tif 000022
【図２２】
0006357975.tif 000023
【図２３】
0006357975.tif 000024
【図２４】
0006357975.tif 000025
【図２５】
0006357975.tif 000026
【図２６】
0006357975.tif 000027
【図２７】
0006357975.tif 000028
【図２８】
0006357975.tif 000029
【図２９】
0006357975.tif 000030
【図３０】
0006357975.tif 000031
【図３１】
0006357975.tif 000032
【図３２】
0006357975.tif 000033
【図３３】
0006357975.tif 000034
【図３４】
0006357975.tif 000035
【図３５】
0006357975.tif 000036
【図３６】
0006357975.tif 000037
【図３７】
0006357975.tif 000038
【図３８】
0006357975.tif 000039
【図３９】
0006357975.tif 000040
【図４０】
0006357975.tif 000041
【図４１】
0006357975.tif 000042
【図４２】
0006357975.tif 000043
【図４３】
0006357975.tif 000044
【図４４】
0006357975.tif 000045
【図４５】
0006357975.tif 000046